(57)【要約】【課題】本発明の目的は、海洋深層水取水管のような長尺体を、特にその終端部を海底へ布設する際、より安全にかつ作業性よく布設できる方法を提供することにある。【解決手段】無限軌道式張力保持装置により作業船上から海底へと繰り出される長尺体の終端部に、前記作業船上に設置され長尺体の終端部を海底に布設するために用いられる主ウインチから延びるワイヤを接続すると共に、前記長尺体の終端部近傍に、その一端が前記作業船上に設置された補助ウインチから延びるワイヤに接続された端末保持体を装着し、前記補助ウインチにより前記長尺体の終端部に所定張力を負荷しながら前記無限軌道式張力保持装置から開放された前記長尺体の終端部をクレーンにより前記主ウインチによる長尺体終端部繰出し位置に移動せしめる海底への長尺体布設方法。【選択図】  図１
2005009544.tif 000002
【特許請求の範囲】
【請求項１】
無限軌道式張力保持装置により作業船上から海底へと繰り出される長尺体の終端部に、前記作業船上に設置され長尺体の終端部を海底に布設するために用いられる主ウインチから延びるワイヤを接続すると共に、前記長尺体の終端部近傍に、その一端が前記作業船上に設置された補助ウインチから延びるワイヤに接続された端末保持体を装着し、前記補助ウインチにより前記長尺体の終端部に所定張力を負荷しながら前記無限軌道式張力保持装置から開放された前記長尺体の終端部をクレーンにより前記主ウインチによる長尺体終端部繰出し位置に移動せしめることを特徴とする海底への長尺体布設方法。
【請求項２】
前記端末保持体は帯状体からなることを特徴とする請求項１記載の海底への長尺体布設方法。
【発明の詳細な説明】
【０００１】
【発明の属する技術分野】
本発明は、作業船により、例えば海洋深層水取水管の如き長尺体を海底に布設する際の、特にその終端部の布設方法の改良に関するものである。
【０００２】
【従来の技術】
従来、作業船により、例えば海洋深層水取水管のような長尺体を海底の所望深さ（通常取水管の取水口は海底約３００ｍ以下の深さ）に布設する場合、以下のように行っていた。
【０００３】
まず図３（イ）、（ロ）に示すように作業船１の甲板上に円形状に積まれている長尺体２を無限軌道式張力保持装置３により長尺体２の自重を保持しながら海底へとゆっくり繰り出していく。ここで符号４は前記無限軌道式張力保持装置３の前方に配置され、繰り出される長尺体２を海底方向に案内する長尺体設置用船尾シーブ部を、符号５は後述する主ウインチを、符号６は主ウインチの前方に配置され長尺体２の終端部を海底方向に案内する長尺体終端部設置用船尾シーブ部を、そして符号７はクレーンを示している。尚、長尺体設置用船尾シーブ部４には長尺体２に大きな曲げ応力を負荷しないように、大きなＲが設けられている。ここで図３（イ）は作業船１を上から見た平面図、図３（ロ）は側面図である。またＣ−Ｃ線は海面を示している。
【０００４】
さて、長尺体２の海底への布設が最終段階にきて、長尺体２の終端部が見えて来たら、図４（イ）、（ロ）に示すように長尺体２の終端部に主ウインチ５から延びる海底設置用ワイヤ９の端部を結び付ける。同時に船尾（長尺体設置用船尾シーブ部４側）の図示されていない足場に作業者が立ち、長尺体２の終端部近傍に水中クレーン８を装着する。この水中クレーン８は直径２ｍ前後の空気袋に紐を付けたもので、この紐を長尺体２の終端部近傍に結び付ける。尚、この時点では前記空気袋はまだ膨らませられてはいない。
【０００５】
水中クレーン８が長尺体２の終端部近傍に装着されたら、長尺体２の終端部に無限軌道式張力保持装置３の出口側で紐掛けし、この紐にクレーン７のフックを掛ける。この作業と同時進行で前記水中クレーン８の空気袋に水中にいるダイバーが船上のコンプレッサーを使用して、あるいは潜水士用ボンベ等により空気を入れ膨らませていく。
その後無限軌道式張力保持装置３を停止し、上下のキャタピラを開放し、長尺体２を無限軌道式張力保持装置３から開放する。ここで図４（イ）は作業船１を上から見た平面図、図４（ロ）は側面図であり、Ｃ−Ｃ線は海面を示している。
【０００６】
無限軌道式張力保持装置３から長尺体２の終端部が開放されたら、図５（イ）、（ロ）に示すようにクレーン７で長尺体２の終端部を吊り上げ、該終端部を長尺体設置用船尾シーブ部４から主ウインチ５の前方に配置されている前記長尺体終端部設置用船尾シーブ部６へと移動する。ここで図５（イ）は作業船１を上から見た平面図、図５（ロ）は平面図におけるＡ−Ａ線の位置をＢ方向から見た側面図であり、Ｃ−Ｃ線は海面を示している。
このようにして長尺体２の終端部を長尺体設置用船尾シーブ部４から長尺体終端部設置用船尾シーブ部６へと移動せしめたら、図６（イ）、（ロ）に示すように今度は前記無限軌道式張力保持装置３に代わって主ウインチ５により長尺体２の自重を支えながら、長尺体２の終端部を海底へと沈めていく。ここで図６（イ）は作業船１を上から見た平面図、図６（ロ）は平面図におけるＡ−Ａ線の位置をＢ方向から見た側面図を示し、Ｃ−Ｃ線は海面を示している。
【０００７】
尚、主ウインチ５による長尺体２の沈設が安定したら、適切な時期にダイバーは水中で水中クレーン８を長尺体２の終端部から切り離す。そして長尺体２の終端部が海底の所望深さに達したら主ウインチ５から延びる海底設置用ワイヤ９は自動的に切断される。この切断の仕方は本発明の趣旨には無関係であるため、説明は省略することにする。
【０００８】
ところで前記水中クレーン８の役割は、クレーン７により長尺体２の終端部を長尺体設置用船尾シーブ部４から長尺体終端部設置用船尾シーブ部６へ移動せしめる際、長尺体２の終端部への予期しない力の負荷等が起こらないように、長尺体２の終端部にある大きさの張力（バックテンション）を掛けておいて、終端部が跳ねたり、ふらついたりしないようにするためである。
換言すると、もし水中クレーン８がないと、クレーン７で長尺体２の終端部を長尺体設置用船尾シーブ部４から長尺体終端部設置用船尾シーブ部６へと移動する際、長尺体２の終端部にはクレーン７による吊り下げ力しか作用していない。そのため作業船１上で風が強かったり、波が高くて作業船１が大きく揺れたりすると、長尺体２の終端部が前述したように大きくふらついたりして作業の安全も確保し難くなるし、作業自体もやり難くなる。
【０００９】
そこで水中クレーン８で長尺体２の終端部にある程度張力を掛けておいてやれば、クレーン７による長尺体２の終端部の長尺体設置用船尾シーブ部４から長尺体終端部設置用船尾シーブ部６への架け替え作業が完了し、主ウインチ５による長尺体２の沈設作業が軌道に乗るまでの一連の作業を安全に、かつより作業性よく行える、というものである。
【００１０】
【発明が解決しようとする課題】
しかしながら、実際には、例えば波が荒い日の作業の場合、水中クレーン８を水中に潜ったダイバーが潜水士用ボンベ等で膨らませる作業はかなり危険であり、時として容易に水中クレーン８を膨らませることができなかったり、膨らませる速度が遅く、クレーン７の長尺体２の終端部移動とのタイミングが合わない、といった問題があった。
また水中クレーン８を使用する、ということはダイバーによる水中での水中クレーン８の膨らませ作業と、その後の後始末、すなわち長尺体２の終端部からこの水中クレーン８を切り離す作業とが必須作業になるが、波が高い日の作業の場合、ダイバーの身が危険に曝される、という問題もあった。
【００１１】
そこで本発明の目的は、海洋深層水取水管のような長尺体を、特にその終端部を海底へ布設する際、より安全にかつ作業性よく布設できる方法を提供することにある。
【００１２】
【課題を解決するための手段】
前記目的を達成すべく本発明の請求項１記載の海底への長尺体布設方法は、無限軌道式張力保持装置により作業船上から海底へと繰り出される長尺体の終端部に、前記作業船上に設置され長尺体の終端部を海底に布設するために用いられる主ウインチから延びるワイヤを接続すると共に、前記長尺体の終端部近傍に、その一端が前記作業船上に設置された補助ウインチから延びるワイヤに接続された端末保持体を装着し、前記補助ウインチにより前記長尺体の終端部に所定張力を負荷しながら前記無限軌道式張力保持装置から開放された前記長尺体の終端部をクレーンにより前記主ウインチによる長尺体終端部繰出し位置に移動せしめることを特徴とするものである。
【００１３】
このようにしてなる本発明の請求項１記載の海底への長尺体布設方法によれば、従来のように長尺体の終端部近傍に空気袋状の水中クレーンを装着する代わりに、補助ウインチから延びるワイヤが連結された端末保持体を装着し、この補助ウインチにより長尺体の終端部に所定張力を負荷しながら、クレーンによる無限軌道式張力保持装置用の長尺体設置用船尾シーブ部から主ウインチ側の長尺体終端部設置用船尾シーブ部への長尺体の終端部架け替え作業を行えるので、従来のようにダイバーが水中に潜って水中クレーンを膨らませたり、これを切り離したりといった作業が必須作業ではなくなり、作業の安全性や作業性が大幅に改善される。
【００１４】
また本発明の請求項２記載の海底への長尺体布設方法は、請求項１記載の前記端末保持体が帯状体からなることを特徴とするものである。
このように端末保持体を帯状体で形成すると、端末保持体と長尺体の終端部との接触面積が大きくなるため、長尺体終端部への側圧を減らすことができる。
【００１５】
【発明の実施の形態】
以下に図を用いて本発明の海底への長尺体、具体的には外径約１５０〜３５０ｍｍ程度のプラスチック管上に保護用の外装が施された海洋深層水取水管（以下単に長尺体と称す）を、海底の所望深さに布設する方法について詳細に説明する。
図１（イ）、（ロ）及び図２は本発明の一実施例を示すものである。因みに、図１（イ）、（ロ）は作業船１上の各装置類の配置を示すもので、前述した従来のものと同様のものには同じ番号を付してある。そして図１（イ）は作業船１を上から見た平面図、図（ロ）はＡ−Ａ線の位置をＢ方向から見た側面図を示している。またＣ−Ｃ線は海面位置を示している。
【００１６】
図１が示すように作業船１の甲板上に円形状に積まれていた長尺体２が無限軌道式張力保持装置３により海底へと送り出され、その布設が最終段階にきて、長尺体２の終端部が見えて来たら、長尺体２の終端部に主ウインチ５から延びる海底設置用ワイヤ９の端部を前述した図４のように結び付ける。同時に船尾（長尺体設置用船尾シーブ部４側）の図示されていない足場に作業者が立ち、長尺体２の終端部近傍に図２が示すような端末保持体、具体的には帯状体１２を装着する。この帯状体１２はナイロンスリングを４〜５回編み込んだもので、これにはワイヤ１１が取り付けられている。このワイヤ１１は他端が補助ウインチ１０に連結されている。
【００１７】
尚、この補助ウインチ１０は、好ましくは前述した無限軌道式張力保持装置３の後方に、かつ長尺体設置用船尾シーブ部４のほぼ中心線上に設置されていて、長尺体設置用船尾シーブ部４上にある長尺体２の終端部に所望の張力を確実に負荷できるようになっている。
【００１８】
さらに長尺体２の終端部を無限軌道式張力保持装置３の出口側で紐で縛り、クレーン７のフックを掛けられるような輪を作っておく。
以上の状態が出来上がったら、その輪にクレーン７のフックを掛け、かつ帯状体１２とワイヤ１１を介して補助ウインチ１０により長尺体２の終端部に適切なバックテンションを掛ける。
【００１９】
補助ウインチ１０でバックテンションを掛けた状態で、無限軌道式張力保持装置３を停止し、その上下のキャタピラを開放して長尺体２を無限軌道式張力保持装置３から開放したら、クレーン７で長尺体２の終端部を吊り上げる。そしてこの終端部を長尺体設置用船尾シーブ部４から前記主ウインチ５による長尺体終端部繰出し位置、具体的には主ウインチ５の前方に配置されている前記長尺体終端部設置用船尾シーブ部６へと図１が示すように移動させる。この間、補助ウインチ１０により、長尺体２の終端部には所定のバックテンションが常に掛けられている。
【００２０】
このようにして長尺体２の終端部を長尺体設置用船尾シーブ部４から長尺体終端部設置用船尾シーブ部６へと移動せしめたら、主ウインチ５により海底設置用ワイヤ９を介して長尺体２の終端部に適切なバックテンションを負荷する。しかる後はこの終端部を前記無限軌道式張力保持装置３に代わって主ウインチ５により海底へと沈めていく。尚、主ウインチ５が稼動を開始したら、適当な時期に補助ウインチ１０のワイヤ１１を前記帯状体１２から切り離す。
【００２１】
尚、切り離し方としては、もし波が高かったり、風が強かったりしたらワイヤ１１の一部が長尺体２の終端部に帯状体１２と共に残ることになるが、作業船１上でワイヤ１１を切断してもよい。もし波が穏やかでダイバーが海中に潜っても危険がなければ、水中で帯状体１２とワイヤ１１の連結部を切り離すなり、帯状体１２そのものを長尺体２の終端部から切り離してもよい。
【００２２】
このように長尺体２の終端部を長尺体設置用船尾シーブ部４から長尺体終端部設置用船尾シーブ部６へとクレーン７による移動作業中、長尺体２の終端部を帯状体１２で保持し、これをワイヤ１１を介して補助ウインチ１０にて引っ張って長尺体２の終端部に適切なバックテンションを負荷することにより、風や波で長尺体２の終端部が揺れたり、跳ねたりして作業を困難にしたり、作業の安全を危うくしたりすることなく作業を進めることができる。
【００２３】
尚、長尺体２の終端部に装着する端末保持体は、紐状体であってもよいが、紐状体より前記実施例のように帯状体１２である方が、長尺体２の終端部との接触面積が大きくなり、仮に不測の事態により終端部に大きな張力が負荷された場合であっても、長尺体２の終端部をより傷つけ難くでき好ましい。
【００２４】
以上の説明は海洋深層水取水管を海中に沈設する場合についてのみ行ってきたが、沈設する対象は海洋深層水取水管に限らないし、また海中ではなくある程度深い水中に長尺体を沈める場合にも、本発明は適用できることはいうまでもない
【００２５】
【発明の効果】
前述したように本発明の海底への長尺体布設方法によれば、従来の水中クレーンに代えて端末保持体を長尺体の終端部に装着し、かつこの端末保持体を介して補助ウインチによりバックテンションを掛けるため、ダイバーが水中に潜って水中クレーンを膨らませる、といった作業がなくなるし、水中クレーンがなかなか膨らまずクレーンとの長尺体の終端部の移動のタイミングが合わない、といった問題もなくなる。また波が高い等ダイバーの海中での作業が危険を伴なうような場合は、あえてダイバーを海中に潜らせることが必須ではなくなるため、作業の安全性、作業性も向上する。
【００２６】
また端末保持体として帯状体を使用すれば、不測の事態が発生して長尺体の終端部に大きな側圧が負荷されるような場合でも、帯状体は終端部との接触面積が大きいため、大きな側圧を分散させることができ、長尺体の終端部への大きな側圧の負荷は避けられ、終端部の損傷を免れる可能性が高くなる。
【図面の簡単な説明】
【図１】本発明の海底への長尺体布設方法の一実施例を示す概略図であって、図（イ）は作業船１を上から見た平面図、図（ロ）はＡ−Ａ線の位置をＢ方向から見た側面図である。
【図２】本発明の海底への長尺体布設方法の一実施例で使用される端末保持体の一例を示す長尺体終端部の一部拡大図である。
【図３】従来の海底への長尺体布設方法を示す概略図で、図（イ）は作業船１を上から見た平面図、図（ロ）は側面図である。
【図４】従来の海底への長尺体布設方法を示し、前記図３の次の状態を示す概略図であって、図（イ）は作業船１を上から見た平面図、図（ロ）は側面図である。
【図５】従来の海底への長尺体布設方法を示し、前記図４の次の状態を示す概略図であって、図（イ）は作業船１を上から見た平面図、図（ロ）はＡ−Ａ線の位置をＢ方向から見た側面図である。
【図６】従来の海底への長尺体布設方法を示し、前記図５の次の状態を示す概略図であって、図（イ）は作業船１を上から見た平面図、図（ロ）はＡ−Ａ線の位置をＢ方向から見た側面図である。
【符号の説明】
１  作業船
２  長尺体
３  無限軌道式張力保持装置
４  長尺体設置用船尾シーブ部
５  主ウインチ
６  長尺体終端部設置用船尾シーブ部
７  クレーン
９  海底設置用ワイヤ
１０  補助ウインチ
１１  ワイヤ
１２  帯状体
【図１】
2005009544.tif 000003
【図２】
2005009544.tif 000004
【図３】
2005009544.tif 000005
【図４】
2005009544.tif 000006
【図５】
2005009544.tif 000007
【図６】
2005009544.tif 000008